(57)【要約】【課題】本発明は、建造物の内外装材として複数のパネルを取り付けてなるパネル構造における最終パネルのパネル終端に適用してなるパネル終端構造体に関する。【解決手段】当該パネル終端には、前記建造物の終端面に固設してなる端部取付下地材と、該端部取付下地材に係止してなる前記最終パネルのパネル終端部とを具備し、該パネル終端部には、前記終端面と干渉する場合、その最終端となるパネル終端折取り部を折り取り、干渉しない場合にはそのまま残してなる切欠部を具備してなる。【選択図】      図１
2004176279.tif 000002
【特許請求の範囲】
【請求項１】
建造物の内外装材として複数のパネルを取り付けてなるパネル構造における最終パネルのパネル終端に適用してなるパネル終端構造体であって、
当該パネル終端には、前記建造物の終端面に固設してなる端部取付下地材と、該端部取付下地材に係止してなる前記最終パネルのパネル終端部とを具備し、
該パネル終端部には、前記終端面と干渉する場合、その最終端となるパネル終端折取り部を折り取り、干渉しない場合にはそのまま残してなる切欠部を具備してなることを特徴とするパネル終端構造体。
【請求項２】
前記切欠部を、Ｖ字形状とすることを特徴とする請求項１に記載のパネル終端構造体。
【発明の詳細な説明】
【０００１】
【発明の属する技術分野】
本発明は、天井内装用、または、壁面内外装用等として用いられるリニアパネル等のパネル構造に適用するパネル終端構造体の改良に関する。
【０００２】
【従来の技術】
リニアパネル等のパネル構造では、図３に示すように、パネル取り付けねじ５で隣接するパネル（中間パネル）１ａと１ａのそれぞれの端部をパネル取付枠材１１に順次ねじ止めして固定する。ここで、このように固定したパネル構造の終端では、図４に示すように、まず、建造物の壁面等の終端面１０に下地材取り付けねじ６で端部取付下地材４を固定し、次に、パネル取り付けねじ５でパネル（最終パネル）１の端部のパネル終端部２を端部取付下地材４にねじ止めして固定し、パネル終端９を形成する。ここで、端部取付下地材４としては、Ｌ字アングル部材を好適に適用できる。一般に、この端部取付下地材４は、妨錆処理を施した程度の下地部材であり、意匠性に優れているとは言えない。
【０００３】
なお、本発明に関連するリニアパネル等のパネル構造に関する先行技術文献情報としては、  例えば下記のものがある。
【０００４】
【特許文献１】
特開平１０−１４０７２１  号公報
【特許文献２】
特開平１１−２１０１２３  号公報
【０００５】
【発明が解決しようとする課題】
ところで、一般に建造物は、その構造上、所定の誤差が許容され、例えば、パネル構造の終端となる終端面、例えば、建造物の壁面の位置は、図４に示す誤差範囲が許容される。ここで、図示のマイナス（−）側の誤差の場合であれば、特に大きな問題はないが、プラス（＋）側の誤差の場合、最終パネル１のパネル終端部２が終端面１０と干渉して躯体と当たり、そのままでは取り付けができない。そのため、従来は、この干渉が発生した最終パネルを一旦工場に持ち帰り、干渉部を切り落とす等の再加工を施すことが必要となり、工期遅れや、コストアップの大きな要因になっていた。
【０００６】
一方、上記の誤差範囲をあらかじめ見込んでおき、プラス（＋）側の最大誤差に合わせて最終パネル１のパネル終端部２を加工しておくこともできるが、そうすると、マイナス（−）方向の誤差のある場合に、端部取付下地材４の表面が必要以上に大きく露出することになり、見た目も悪く、意匠性に優れたパネル構造を提供することができないことになる。
【０００７】
本発明は、このように最終パネル１のパネル終端部２が終端面１０と干渉する場合であっても、現場で容易に手直し可能であり、一方、干渉しない場合には、可能な限り端部取付下地材４を露出しないようにすることを可能とするパネル終端構造体を提供するものであり、低コストで、かつ、意匠性に優れたパネル構造を実現することができる。
【０００８】
【課題を解決するための手段】
本発明は、建造物の内外装材として複数のパネルを取り付けてなるパネル構造における最終パネルのパネル終端に適用してなるパネル終端構造体であって、当該パネル終端には、前記建造物の終端面に固設してなる端部取付下地材と、該端部取付下地材に係止してなる前記最終パネルのパネル終端部とを具備し、該パネル終端部には、前記終端面と干渉する場合、その最終端となるパネル終端折取り部を折り取り、干渉しない場合にはそのまま残してなる切欠部を具備してなることを特徴とするパネル終端構造体によって上記課題を解決した。
【０００９】
また、本発明は、上記のパネル終端構造体において、前記切欠部を、Ｖ字形状とすることを好適とするものである。
【００１０】
【発明の実施の形態】
本発明の好適な実施の形態を、図１、２に基づいて説明する。なお、図４において既に説明した従来のパネル終端構造体と同一の部材には同一の番号を付し、ここでの説明を省略する。
本発明のパネル終端構造体では、図１に示すように、最終パネル１のパネル終端部２に切欠部３を設け、現場においてパネル終端折取り部２ａを容易に折り取ることができるようにしたことを特徴とする。
【００１１】
この切欠部３は、図２（ａ）に示すように、図示の誤差範囲のプラス（＋）側の最大位置よりも幾分手前の位置に設けるようにする。また、パネル終端折取り部２ａの先端が図示の誤差範囲のセンター位置（設計位置）よりも幾分手前の位置に設けるようにする。なお、切欠部３の形状は、現場での折り取りを容易に行い、かつ、折り取り後の破断面を良好にするため、Ｖ字形状とすることを好適とする。
【００１２】
こうすることで、図２（ｂ）に示すように、建造物の終端面１０が誤差範囲のプラス（＋）側位置となったときでも、現場において、パネル終端折取り部２ａを切欠部３で折り取ることができ、そのまま設置作業を進めることができるようになり、工場に持ち帰っての再加工の必要もなくなる。
一方、建造物の終端面１０が誤差範囲のマイナス（−）位置側となったときには、パネル終端折取り部２ａを折り取らずにそのまま残すことで、端部取付下地材４の露出を最小限に抑えることができ、意匠性にも極めて優れている。
【００１３】
【発明の効果】
本発明のパネル終端構造体を提供することで、低コストで、かつ、意匠性に優れたパネル構造を提供することができるようになった。
【図面の簡単な説明】
【図１】本発明のパネル終端構造体の断面模式図である。
【図２】本発明のパネル終端構造体の特徴を説明する断面模式図である。
【図３】パネル構造における中間パネルの取り付けを示す断面模式図である。
【図４】従来のパネル終端の断面模式図である。
【符号の説明】
１        パネル（最終パネル）
１ａ    パネル（中間パネル）
２        パネル終端部
２ａ    パネル終端折取り部
３        切欠部（Ｖ字切欠部）
４        端部取付下地材（Ｌ字アングル部材）
５        パネル取り付けねじ
６        下地材取り付けねじ
９    パネル終端
１０        終端面
１１    パネル取付枠材
【図１】
2004176279.tif 000003
【図２】
2004176279.tif 000004
【図３】
2004176279.tif 000005
【図４】
2004176279.tif 000006